(57)【要約】【課題】  弾性留め具の提供。【解決手段】  弾性留め具は、適度に昇降する弾性留め具がＴ形ピンに取り付けられ、箱蓋の開放に便利で閉合時に緊迫させることができ、周知の箱蓋と底箱間の作動の問題を無くし実用効果を高めている。【選択図】        図１
0003102795.tif 000002
【実用新案登録請求の範囲】
【請求項１】
横向き部と縦向き部を具えたＴ形ピンと組み合わされ、外挟持部と内挟持部及び連結部で組成された弾性留め具において、
該外挟持部は直立面を具えた挟持片であり、上端の一側にリブが形成され、上端の厚さが厚く、下端へと厚さが漸次薄くなり、
該内挟持部は直立面を具え外挟持部よりも高さが低い挟持片であり、上端の内側に斜面を具え、底端中央に挿入門を具え、挿入門の両側に挿入溝が凹設され、挿入溝の両側に第１挿入片と第２挿入片が形成されて、第１挿入片と第２挿入片の下端の対応位置に凸部が形成され、
該連結部は水平状を呈し、外挟持部の底端及び内挟持部の底端と一体に形成され、
Ｔ形ピンの横向き部が弾性留め具の挿入溝中に挿入され、縦向き部が挿入門に跨設され、使用者が手指で弾性留め具をＴ形ピン上で昇降させて、携帯箱の係合片と係合横棒間の係止を緊迫化させるか弛めて分離させることができることを特徴とする、弾性留め具。
【請求項２】
請求項１記載の弾性留め具において、外挟持部の外側面に凹円弧面が形成されたことを特徴とする、弾性留め具。
【考案の詳細な説明】
【技術分野】
【０００１】
本考案は携帯箱或いはケースに使用され、ケースや箱の開放と閉合の便利性と実用性を高める弾性留め具に関する。
【背景技術】
【０００２】
一般に、ケース、箱の開放或いは閉合の技術手段として、図１に示されるように、携帯箱１の箱蓋１２に一体に係合片１２１が設けられ、該係合片１２１に内滑面１２１１と押圧滑面１２１３が設けられ、該内滑面１２１１と押圧滑面１２１３の間に係止肩部１２１２が設けられ、並びに底箱１１の一側の中央に係合横棒１３が設けられ、該係合横棒１３に内端面１３１と底端面１３２が設けられ、内端面１３１と底端面１３２により箱蓋１２と底箱１１間の閉合動作が達成される。
【０００３】
しかし、係止肩部１２１２は狭く設計されることが多く、使用者は手指で軽く押圧滑面１２１３を押すだけで、箱蓋１２が緊密に閉じられていない状況が形成され、ゆえに、携帯箱１内の物品が脱出する恐れがあった。
【０００４】
以上の欠点を鑑み、携帯箱１内の物品の脱出を防止するため、底箱１１と箱蓋１２間の開放と閉合の設計には改良の必要がある。
【考案の開示】
【考案が解決しようとする課題】
【０００５】
本考案の第１の目的は、一種の弾性留め具を提供することにあり、それは完全にＴ形ピンに嵌め置かれる時、使用者が軽く弾性留め具に接触するだけで箱蓋を開くことができ、周知の係合片の係止横棒と分離させにくい問題を解消したものとする。
【０００６】
本考案のもう一つの目的は、一種の弾性留め具を提供することにあり、それは弾性留め具を使用者が僅かに押し上げるだけで係合片の押圧滑面を完全に弾性留め具の外挟持部と内挟持部の間に係止でき、箱蓋と底箱の閉合効果を良好とすることができ、周知のケースや箱の強固に係合しにくい欠点を解決したものとする。
【０００７】
本考案によると、弾性留め具は完全にＴ形ピンに嵌め込まれる時、使用者が箱蓋を開くのに便利で、係合片と係合連接棒を簡単に分離させられる。
【０００８】
本考案はまた、弾性留め具の底部に適宜高度の挿入溝が設けられ、手指で弾性留め具をやや押し上げるだけで、係合片と係合横棒間の係止を緊密とする効果を達成できる。
【課題を解決するための手段】
【０００９】
請求項１の考案は、横向き部と縦向き部を具えたＴ形ピンと組み合わされ、外挟持部と内挟持部及び連結部で組成された弾性留め具において、
該外挟持部は直立面を具えた挟持片であり、上端の一側にリブが形成され、上端の厚さが厚く、下端へと厚さが漸次薄くなり、
該内挟持部は直立面を具え外挟持部よりも高さが低い挟持片であり、上端の内側に斜面を具え、底端中央に挿入門を具え、挿入門の両側に挿入溝が凹設され、挿入溝の両側に第１挿入片と第２挿入片が形成されて、第１挿入片と第２挿入片の下端の対応位置に凸部が形成され、
該連結部は水平状を呈し、外挟持部の底端及び内挟持部の底端と一体に形成され、
Ｔ形ピンの横向き部が弾性留め具の挿入溝中に挿入され、縦向き部が挿入門に跨設され、使用者が手指で弾性留め具をＴ形ピン上で昇降させて、携帯箱の係合片と係合横棒間の係止を緊迫化させるか弛めて分離させることができることを特徴とする、弾性留め具としている。
請求項２の考案は、請求項１記載の弾性留め具において、外挟持部の外側面に凹円弧面が形成されたことを特徴とする、弾性留め具としている。
【考案の効果】
【００１０】
本考案は周知の製品と比較し、適度に昇降する弾性留め具がＴ形ピンに取り付けられ、箱蓋の開放に便利で閉合時に強固に閉合でき、周知のケースや箱の箱蓋と底箱間の動作の形成する問題を解決することができる。
【考案を実施するための最良の形態】
【００１１】
図１は本考案の弾性留め具を携帯箱のＴ形ピンに組み付ける立体分解図及び弾性留め具の局部構造拡大図である。図示されるように、本考案は、外挟持部２１、内挟持部２２、連結部２３を具えている。
【００１２】
該外挟持部は直立する広い面を具えた挟持片とされ、その上端の一側にリブ２１１が形成され、該外挟持部２１は上端の厚さが厚く、下端ほど薄く設けられ、外挟持部の幅面方向に押圧すると、厚さの薄い下端が良好な弾性を具えている。上述の外挟持部２１の外側面に別に手指の円弧に類似する凹円弧面２０が形成され、手指による押圧に便利とされている。
【００１３】
該内挟持部２２は直立する幅面を具え且つ高さが外挟持部２１より低い挟持片とされ、該内挟持部２２の上端内側に斜面２２０が形成され、内挟持部２２の底端中央に挿入門２２４が設けられ、挿入門２２４の両側に挿入溝２２３が凹設され、該挿入溝２２３の両側に第１挿入片２２１と第２挿入片２２２が形成され、第１、２挿入片２２１、２２２の下端の対応位置に凸部２２１１、２２２１が形成され、これにより、二つの凸部２２１１、２２２１の間に形成される幅が第１、２挿入片２２１、２２２の間の幅より小さくなる。
【００１４】
該連結部２３は水平状を呈し、外挟持部２１底端と内挟持部２２底端と一体に形成されている。
【００１５】
次に、図２は図１の組合せ完成後の斜視図である（箱蓋と底箱が開放状態を呈する）。そのうち、弾性留め具２がＴ形ピン１４に完全に嵌合される時、使用者は箱蓋１２を開放するのに便利であり、係合片１２１と係合横棒１３を簡単に分離させることができる。
【００１６】
このほか、図３、４に示されるように、図２の状態から箱蓋１２を底箱１１に閉じ合わせる時、該箱蓋１２の係合片１２１と弾性留め具２の間には適当な距離が保持され、この時、該箱蓋１２と該底箱１１は閉合状態を呈し、このとき、Ｔ形ピン１４の横向き部１４１は弾性留め具２の挿入溝２２３の最上端に嵌合されるため、該係合片１２１の押圧滑面１２１３と弾性留め具２のリブ２１１が間隙を保持する。
【００１７】
さらに、図５に示されるように、使用者が図４の状態から手指で弾性留め具に接触すると、手指が弾性留め具２の外挟持部２１に触れることで、係合片１２１が底箱１１の方向に嵌入し、係合片１２１の係止肩部１２１２と係合横棒１３の内端面１３１が分離し、且つ弾性留め具２のリブ２１１が該係合片１２１の押圧滑面１２１３に沿って押圧し、すなわち箱蓋１２が上向きにスライド開始する。
【００１８】
また、図６に示されるように、使用者が図５のように手指で弾性留め具に触れた後、さらに箱蓋を全部開放する時、使用者の手指はそれ以上弾性留め具２の外挟持部２１に接触させず、弾性留め具２の外挟持部２１を直立状態となす。
【００１９】
図８は本考案の弾性留め具を押し上げない状態を示し、図７と図９に示されるように、使用者が手指で弾性留め具２を押し上げた後、携帯箱１の係合片１２１の押圧滑面１２１３を斜面２２０に沿って弾性留め具２の外挟持部２１と内挟持部２２の形成する挟持空間に嵌入させ、また二つの凸部２２１１、２２２１でＴ形ピン１４の縦向き部１４２の両側を挟持し、係合片１２１と係合横棒１３間の緊迫効果を増すと共に、弾性留め具２がＴ形ピン１４に沿って滑り落ちるのを防止できる。
【００２０】
総合すると、本考案は少なくとも以下のような優れた点を有している。
１．使用者は弾性留め具に軽く接触するだけで、簡単に箱蓋を開けることができる。
２．使用者は弾性留め具を押し上げるだけで箱蓋の係合片と係合横棒間の係合を緊密とすることができる。
【００２１】
以上の実施例は本考案の実施範囲を限定するものではなく、本考案に基づきなしうる細部の修飾或いは改変は、いずれも本考案の請求範囲に属するものとする。
【図面の簡単な説明】
【００２２】
【図１】本考案の弾性留め具を携帯箱のＴ形ピンに組み付ける立体分解図であり、弾性留め具の局部構造拡大図と共に示した。
【図２】図１の組合せ完成後の斜視図である（箱蓋と底箱が開放状態を呈する）。
【図３】図２の箱蓋を底箱に閉じ合わせる時、箱蓋の係合片と弾性留め具間の立体外観図である（箱蓋と底箱が閉合状態を呈する）。
【図４】図３の断面図である（係合片の押圧滑面と弾性留め具のリブが間隙を保持し、この時Ｔ形ピンの横向き部は弾性留め具の挿入溝の最上端に嵌合されている）。
【図５】使用者が図４の状態より手指で弾性留め具を押した時の断面図である（手指で弾性留め具の外挟持部に接触して係合片を底箱方向に嵌入させて係合片の係止肩部と係合横棒の内端面を分離させ、且つ弾性留め具のリブを係合片の押圧滑面を押圧して箱蓋を開放開始させる）。
【図６】図５のように手指で弾性留め具に触れた後、さらに箱蓋を全部開放した状態を示す断面図である（このとき、使用者の手指はそれ以上弾性留め具の外挟持部に接触せず、弾性留め具の外挟持部は直立状態を呈する）。
【図７】使用者が手指で弾性留め具を押し上げる局部断面図である（この時使用者の手指が弾性留め具を上に押し上げて携帯箱の係合片の押圧滑面が弾性留め具の外挟持部と内挟持部の形成する挟持空間に嵌入し、係合片と係合横棒の間の緊迫効果が高まる）。
【図８】本考案の弾性留め具を押し上げる時の状態を示す正面図である。
【図９】本考案の弾性留め具を押し上げた後、携帯箱の係合片が内挟持部と外挟持部の間に挟持される状態を示す正面図である。
【符号の説明】
【００２３】
１  携帯箱
１１  底箱
１２  箱蓋
１２１  係合片
１２１１  内滑面
１２１２  係止肩部
１２１３  押圧滑面
１３  係合横棒
１３１  内端面
１３２  底端面
１４  Ｔ形ピン
１４１  横向き部
１４２  縦向き部
２  弾性留め具
２０  凹円弧面
２１  外挟持部
２１１  リブ
２２  内挟持部
２２０  斜面
２２１  第１挿入片
２２１１  凸部
２２２  第２挿入片
２２２１  凸部
２２３  挿入溝
２２４  挿入門
２３  連結部
【図１】
0003102795.tif 000003
【図２】
0003102795.tif 000004
【図３】
0003102795.tif 000005
【図４】
0003102795.tif 000006
【図５】
0003102795.tif 000007
【図６】
0003102795.tif 000008
【図７】
0003102795.tif 000009
【図８】
0003102795.tif 000010
【図９】
0003102795.tif 000011